(57)【要約】【課題】記録媒体にデータやプログラムを記録する記録プログラムの提供。【解決手段】本発明の記録プログラムは、コンピュータを、少なくとも、入力された画像データ、該画像データに基づいて作成された縮小画像データや動画データなどのデータと、該データを編集（画像のトリミング、回転、文字やイラストの合成、音楽データとの関連付け、色調整など）するための編集プログラムと、必要に応じて、該データを再生するための再生プログラム（例えば、スライドショープログラム）とをセットとして記録媒体に記録する手段として機能させるものであり、上記記録媒体を用いることにより、該記録媒体を利用するコンピュータ機器に編集プログラムがインストールされていない場合であっても、予め記録媒体に記録された編集プログラムを用いてデータに対して所望の編集を行って効果的に再生させることができる。【選択図】図９
2005267774.tif 000002
【特許請求の範囲】
【請求項１】
コンピュータを、
少なくとも、画像データと、前記画像データを編集するための編集プログラムと、をセットにして記録媒体に記録させる記録手段として機能させることを特徴とする記録プログラム。
【請求項２】
コンピュータを、
少なくとも、画像データと、前記画像データを編集するための編集プログラムと、前記画像データに基づく画像を表示手段に表示させるための表示プログラムと、をセットにして記録媒体に記録させる記録手段として機能させることを特徴とする記録プログラム。
【請求項３】
前記記録手段は、予め定められたルールに従って前記記録媒体に特定の名称のフォルダを生成し、該フォルダに前記画像データを記録することを特徴とする請求項１又は２に記載の記録プログラム。
【請求項４】
前記画像データは、入力された画像データ、該画像データに基づいて作成された縮小画像データ、又は該画像データに基づいて作成された動画データのいずれかを含むことを特徴とする請求項１乃至３のいずれか一に記載の記録プログラム。
【発明の詳細な説明】
【技術分野】
【０００１】
本発明は、入力されたデータを記録媒体に記録する記録プログラムに関する。
【背景技術】
【０００２】
近年、写真に関連する様々なサービスが提供されるようになってきている。例えば、ユーザがデジタルカメラで写真を撮影し、デジタルカメラやデジタルカメラ用メディアをミニラボ等の写真店に持ち込み、店舗内に設けられた無人端末（キオスク）や店頭端末などを用いて、デジタルカメラやメディアに記録された画像データをＣＤ−Ｒ、ＤＶＤ−Ｒなどの記録媒体に書き込むことができる（例えば、特開平５−１８２３７３号公報等）。
【０００３】
また、ユーザがフィルムカメラで写真を撮影し、撮影済みのフィルムをミニラボ等の写真店に持ち込むと、写真店ではフィルムを現像した後、スキャナ等の読み取り装置を用いて画像データを読み取り、ＣＤ−Ｒ、ＤＶＤ−Ｒなどの記録媒体に書き込んでユーザに提供するサービスも行われている。
【０００４】
【特許文献１】特開平５−１８２３７３号公報（第４−６頁、第３図）
【発明の開示】
【発明が解決しようとする課題】
【０００５】
上記サービスを利用することにより、デジタルカメラやメディア等に記録された画像データやフィルムをスキャンして得られた画像データなどが記録された記録媒体を入手することができ、この記録媒体をパーソナルコンピュータなどのコンピュータ機器に装填することにより画像データを閲覧することができるが、例えば、画像データに基づく画像を回転させたり、画像の一部を切り出したり、画像に文字やイラストを合成したり、画像の表示の際に音楽を再生させたり、画像の明るさやコントラスト、色彩などを調整するなどの様々な編集を行うことによって、見栄えのよい画像にすることができる。
【０００６】
その場合、画像編集用のプログラムを利用することになるが、コンピュータ機器に上述した機能を備える編集プログラムがインストールされていない場合や、インストールされている編集プログラムが上述した機能を備えていない場合には所望の編集を行うことができず、ユーザ自らが適切な編集プログラムを準備しなければならない。
【０００７】
また、上記記録媒体は、該記録媒体を作成したユーザが利用するのみならず、友人、知人などの他のユーザに利用させる場合もあり、その場合も、他のユーザのコンピュータ機器に所望の編集プログラムがインストールされていない場合には、他のユーザ自身が適切な編集プログラムを準備しなければならず不便であり、このような不便さが上記サービスの使用促進の妨げとなっていた。
【０００８】
また、このような問題は、写真画像に基づく静止画像データに限らず、デジタルビデオカメラなどで撮影して得られた動画データやインターネットなどを介して取得した画像データや音楽データ、コンテンツデータなどにおいても同様に生じる。
【０００９】
本発明は、上記問題点に鑑みてなされたものであって、その主たる目的は、コンピュータ機器に所望の編集プログラムがインストールされていない場合であっても、データを編集して効果的に再生させることができるように記録媒体にデータやプログラムを記録する記録プログラムを提供することにある。
【課題を解決するための手段】
【００１０】
上記目的を達成するため、本発明の記録プログラムは、コンピュータを、少なくとも、画像データと、前記画像データを編集するための編集プログラムと、をセットにして記録媒体に記録させる記録手段として機能させるものである。
【００１１】
また、本発明の記録プログラムは、コンピュータを、少なくとも、画像データと、前記画像データを編集するための編集プログラムと、前記画像データに基づく画像を表示手段に表示させるための表示プログラムと、をセットにして記録媒体に記録させる記録手段として機能させるものである。
【００１２】
本発明においては、前記記録手段は、予め定められたルールに従って前記記録媒体に特定の名称のフォルダを生成し、該フォルダに前記画像データを記録する構成とすることができる。
【００１３】
また、本発明においては、前記画像データは、入力された画像データ、該画像データに基づいて作成された縮小画像データ、又は該画像データに基づいて作成された動画データのいずれかを含むことが好ましい。
【００１４】
このように、本発明の構成によれば、記録プログラムにより、記録媒体には、データと、該データを編集するための編集プログラムと、必要に応じて該データを再生するための再生プログラムとがセットとして記録媒体に記録されるため、記録媒体を利用するコンピュータ機器に編集プログラムがインストールされていない場合でも、データに適した編集を行って該データを効果的に再生することができる。
【発明の効果】
【００１５】
以上説明したように、本発明の記録プログラムによれば、記録媒体を利用するコンピュータ機器に編集プログラムがインストールされていない場合でも、ユーザ自らが編集プログラムを準備することなく、データに適した編集を行って該データを効果的に再生することができる。
【００１６】
その理由は、記録媒体に、静止画像データや縮小画像データ、動画データなどのデータと、該データを編集するための編集プログラムと、必要に応じて該データを再生するための再生プログラム（例えば、画像データをスライド表示させるためのスライドショープログラム）とがセットとして記録媒体に記録されるからである。
【発明を実施するための最良の形態】
【００１７】
本発明に係る記録プログラムは、その好ましい一実施の形態において、コンピュータを、少なくとも、入力された画像データ、該画像データに基づいて作成された縮小画像データや動画データ、音楽データなどのデータと、該データを編集（例えば、画像データに基づく画像の回転、トリミング、文字やイラストの合成、画像表示の際に再生する音楽データの関連付け、明るさ調整、コントラスト調整、色調整など）するための編集プログラムと、必要に応じて、該データを再生するための再生プログラム（例えば、画像データをスライド表示させるためのスライドショープログラム）とをセットとして記録媒体に記録する手段として機能させるものであり、上記データ及び編集プログラムなどが記録された記録媒体を用いることにより、該記録媒体を利用するコンピュータ機器に編集プログラムがインストールされていない場合であっても、予め記録媒体に記録された編集プログラムを用いてデータに対して所望の編集を行って効果的に再生させることができる。
【実施例】
【００１８】
上記実施形態について詳細に説明すべく、本発明の一実施例に係る記録プログラムについて、図１乃至図１５を参照して説明する。図１は、本発明の一実施例に係る記録装置の構成を模式的に示す図であり、図２乃至図５は、記録装置の他の構成を模式的に示す図、図６は、記録装置の手段を示すブロック図である。また、図７は、記録装置を用いた記録媒体の作成手順を示すフローチャート図であり、図８は、コンピュータ機器を用いた記録媒体の利用手順を示すフローチャート図である。また、図９及び図１０は、データの記録構造を示す図であり、図１１乃至図１５は、コンピュータ機器の表示手段に表示される画面の一例を示す図である。
【００１９】
図１に示すように、本実施例のシステムは、記録媒体９を作成する記録装置１と、該記録媒体９を利用するコンピュータ機器１０とからなる。
【００２０】
また、本実施例の記録装置１は、スマートメディア、コンパクトフラッシュ（登録商標）、メモリースティック（登録商標）、ＳＤメモリーカード、マルチメディアカードなどの記録媒体（以下、メディア８と呼ぶ。）を装填するメディア装填部２、デジタルカメラ７（デジタルスチルカメラ及びデジタルムービーカメラの双方を含む。）やカメラ付き携帯電話機７ａ等の撮影機器を有線又は無線、赤外線等によって接続するための機器接続部３、インターネット等の通信ネットワーク１５を介してサーバ１６から画像データや音楽データをダウンロードするネットワーク接続部等のデータを入力する手段と、入力した画像データや編集プログラムなどのアプリケーションが記録されるＣＤ−Ｒ／ＲＷやＤＶＤ±Ｒ／ＲＷ、ＤＶＤ−ＲＡＭ、Ｂｌｕ−ｒａｙディスク等の記録媒体９を装填する記録媒体装填部４等のデータを記録する手段と、ＬＣＤ、ＣＲＴ等の表示手段５及びボタン、キーボード、マウス等の操作手段６（図では操作手段６と表示手段５とを兼ね備えるタッチパネルを示している。）とを備えている。また、コンピュータ機器１０には、上記記録媒体９を装填する記録媒体装填部１４を備える本体１１とＬＣＤ、ＣＲＴ等の表示手段１２とキーボード、マウス等の操作手段１３とを備えている。
【００２１】
なお、図１では記録装置１として写真店やコンビニエンスストアなどの店舗に設置される無人端末（キオスク）を示しているが、記録装置１の形態は任意であり、例えば、図２に示すようにパーソナルコンピュータなどのコンピュータ機器としたり、図３に示すように専用のセットトップボックスとしたり、図４に示すようにポータブルライターなどとしたり、図５に示すように、演算処理機能を備えるＨＤＤレコーダやＤＶＤレコーダ、ゲーム機などとすることもできる。
【００２２】
また、記録装置１に備える主な手段をブロック図で示すと図６のようになる。すなわち、メディア装填部２や機器接続部３、ネットワーク接続部などを用いて画像データを入力するデータ入力手段１７と、必要に応じて、画像データのデータサイズを縮小したサムネイル画像データやスクリーンネイル画像データなどの縮小画像データを作成したり、画像データをＤＶＤプレーヤやＤＶＤレコーダ、ゲーム機等の画像再生機器で読み取り可能なＶｉｄｅｏ−ＣＤ形式、ＤＶＤ−Ｖｉｄｅｏ形式、ＨＤＴＶ形式などの動画データに変換するデータ変換手段１８と、上記データと編集プログラムと必要に応じてスライドショープログラムなどの再生プログラムとを所定の記録手段（ここでは記録媒体９）に記録する制御を行うデータ記録手段１９と、少なくとも編集プログラムを記憶する記憶手段２０と、表示手段５及び操作手段６とを備えている。
【００２３】
上記各手段は記録装置１にハードウェアとして構成されていてもよいし、コンピュータを少なくともデータ記録手段１９として機能させる記録プログラムとして構成し、該記録プログラムを記録装置１にインストールして実行する構成としてもよい。
【００２４】
次に、上記記録装置１を用いて記録媒体９を作成する手順について、図７のフローチャート図を参照して説明する。
【００２５】
まず、ステップＳ１０１で、記録装置１のメディア装填部２にメディア８を装填、又は、機器接続部３にデジタルカメラ７やカメラ付き携帯電話機７ａを接続、又はネットワーク接続部を通信ネットワーク１５に接続すると共に、記録媒体装填部４に記録媒体９を装填する。なお、記録媒体９はデータが記録されていないものを用いてもよいし、編集プログラムやスライドショープログラムなどの再生プログラム、音楽データなどが予め記録された記録媒体をユーザが購入する構成としてもよい。次に、ステップＳ１０２で、デジタルカメラ７やメディア８に記録された画像データ（静止画像データや動画データ、画像情報を含むデータなどを総称して画像データと呼ぶ。）やサーバ１６に記録された画像データを読み取り、必要に応じて、表示手段５や操作手段６を用いて記録媒体９に記録する画像データを選択する。
【００２６】
次に、ステップＳ１０３で、必要に応じて、データ変換手段１８を用いて、デジタルカメラ７などから読み取った画像データ（ＲＡＷデータ）を表示やプリントに適したサイズや形式の画像データに編集したり、読み取った画像データのデータサイズを縮小したサムネイル画像データやスクリーンネイル画像データなどの縮小画像データを作成する。この縮小画像データは入力した画像データよりもデータサイズが小さいものであればよく、例えば、画素数を減縮した画像データや色数、色再現域を減縮した画像データなどとすることができるが、縮小画像データを有効に利用するためにはコンピュータ機器１０のモニタの解像度以上の画素数、又は、サービス版程度の写真プリントを作成できる程度の画素数を備えていることが好ましい。
【００２７】
次に、ステップＳ１０４で、必要に応じて、データ変換手段１８を用いて、読み取った画像データをＤＶＤプレーヤやＤＶＤレコーダ、ゲーム機等の画像再生機器で読み取り可能な動画データ（Ｖｉｄｅｏ−ＣＤ形式、ＤＶＤ−Ｖｉｄｅｏ形式、ＨＤＴＶ形式などのデータ）に変換する。なお、画像データから動画データを作成する方法も特に限定されないが、例えば、静止画像データをスライドショーのように表示する場合は、静止画像データにスライド表示の時間分の差分０のデータを付加して動画データを生成したり、静止画像データにスライドショープログラムで設定されたスライド効果に基づく差分データを付加して動画データを生成すればよい。
【００２８】
次に、ステップＳ１０５で、作成された動画データや関連付けファイル等（以下、これらを総称して画像再生機器用データ群と呼ぶ。）を予め設けた書き込み用の所定のフォルダに転送した後、データ記録手段１９を用いて、該フォルダから画像再生機器用データ群を読み出して、記録媒体９の論理アドレス領域の内側に記録する。その後、ステップＳ１０６で、コンピュータ機器用のデータの記録を行う前に、画像再生機器で使用可能なデータの領域を区分するために一旦セッションをクローズする。
【００２９】
次に、ステップＳ１０７で、入力した画像データや作成した縮小画像データと、記憶手段２０に記憶された編集プログラムと、必要に応じてスライドショープログラムなど再生プログラム及び設定ファイルと、記録媒体９内のプログラムを起動させるための自動起動ファイル等（以下、これらを総称してコンピュータ機器用データ群と呼ぶ。）を予め設けた書き込み用の所定のフォルダに転送した後、データ記録手段１９を用いて、該フォルダからコンピュータ機器用データ群を読み出して、記録媒体９に先に記録された画像再生機器用データ群の外側に記録して一連の書き込み処理を終了する。
【００３０】
上記手順で作成された記録媒体９の記録構造は、例えば、図９に示すようになり、”PS_Roll”フォルダ内の画像データ、サムネイル画像データ、スクリーンネイル画像データ、ＲＡＷデータなどの画像データ群と、”APPL”フォルダ内の編集プログラム、スライドショープログラム及びスライドショーの設定ファイルと、自動起動ファイル（Autrun.inf）などでコンピュータ機器用データ群が構成され、”VCD”フォルダ内の画像データをＶｉｄｅｏ−ＣＤ形式、ＤＶＤ−Ｖｉｄｅｏ形式、ＨＤＴＶ形式用データ等として関連付けるファイル、”SEGMENT”フォルダ内のＴＶ画面に表示する画像データ、”MPEGAV”フォルダ内の動画データ、”DAT”フォルダ内のＴＶ画面に静止画像データを表示するためのアプリケーションなどで画像再生機器用データ群が構成される。
【００３１】
なお、画像データ群の記録構造は任意であるが、画像データの管理を容易にするために、予め定められたルールに従ってフォルダを構成し、そのフォルダにユニークな名称を付与することが好ましい。例えば、図９に示すように、画像データの格納場所を示すフォルダ（PS_Roll）の下位の階層にメディア８毎、機器毎、フィルム毎の画像データの格納場所を示すフォルダ（RO_AABC_XXXXX_YYMMDD_yyy_zzz）を作成し、各々の要素を、AA：国別のコード番号（00〜ZZ）、B：地域別のコード番号（0〜Z）、C：記録媒体の作り方を示すコード番号（例えば、キオスクで作った場合はk、ラボで作った場合はLなど）、XXXXX：ランダムなＩＤ番号、yymmdd：書き込み年月日を特定する数字、yyy：日毎のシーケンシャル番号、zzz：所定の単位毎（例えば、フィルム毎やメディア毎、機器毎など）のシーケンシャル番号などとしてもよい。また、図１０に示すように、PS_Rollフォルダの上位の階層に移住してきた画像データの格納場所を示すフォルダ（PS_AABC_XXXXX_YYMMDD_zzz）などを作成してもよい。
【００３２】
次に、上記方法で形成された記録媒体９をコンピュータ機器１０で利用する手順について、図８のフローチャート図を参照して説明する。なお、以下の説明では編集プログラムを単独で動作させるのではなく、表示プログラム（スライドショープログラム）と一体になって動作させる場合について説明する。
【００３３】
まず、ステップＳ２０１で、記録媒体９をコンピュータ機器１０の記録媒体装填部１４に装填すると自動起動ファイルが読み込まれ、ステップＳ２０２で、所定のプログラム（例えば、メニュープログラム）が起動し、ステップＳ２０３で表示手段１２に図１１に示すようなメニュー画面２１が表示される。このメニュー画面２１には、記録媒体９に記録された画像データを用いて行うことができる処理（例えば、記録媒体の複製、スライドショー表示、写真プリントの作成など）の一覧が選択可能に表示される。
【００３４】
次に、ステップＳ２０４で、ユーザが表示手段１２や操作手段１３を用いてメニュー画面２１の中から”スライドショー表示”を選択すると、図１２に示すような作業メニュー付きアルバム表示画面２２が表示される。この作業メニュー付きアルバム表示画面２２には、例えば、画像データの供給元（記録媒体９やコンピュータ機器１０のハードディスク、デジタルカメラ７、メディア８等）を示すタグ表示欄２３と、画像データの縮小画像（サムネイル画像）を一覧表示するアルバム表示欄２４と、画像データに対して行う処理を選択する作業メニュー欄２５とが表示される。
【００３５】
次に、ステップＳ２０５で、表示手段１２や操作手段１３を用いて作業メニュー欄２５の中から”新しいＣＤを作る”を選択すると、図１３に示すようなスライドショー作成画面２６が表示される。このスライドショー作成画面２６には、例えば、画像データの供給元を示すタグ表示欄２３と、画像データの縮小画像を一覧表示するアルバム表示欄２４と、選択された画像データを表示する選択画像表示欄２７と、操作手順を明示する手順表示欄２８とが表示される。
【００３６】
そして、ステップＳ２０６で、表示手段１２や操作手段１３を用いてアルバム表示欄２４の中からスライドショーとして再生する画像データを選択すると、選択された画像が選択画像表示欄２７に順次表示されるが、その際、画像データを編集する場合は、ステップＳ２０７で画像データを選択した状態で編集ボタン２９を押すと、ステップＳ２０８で記録媒体９に予め記録された編集プログラムが起動し、ステップＳ２０９で各種編集を実行する画面が表示される。
【００３７】
トリミングを行う場合には、例えば、図１４に示すようなトリミング編集画面３０が表示される。このトリミング編集画面３０には、例えば、トリミングを行う画像データとトリミング枠３２とを表示する画像表示領域３１と、トリミング枠３２の位置や大きさ、向きなどを調整するトリミング調整欄３３とが表示され、ユーザは、トリミング調整欄３３でトリミング枠３２を動かしながら画像データに基づく画像の所望の領域を切り出す等の画像データの編集を行い（ステップＳ２１０）、編集プログラムは、トリミング枠３２内の画像データを新たに作成したり、画像データとトリミング枠３２との関連付けを行う。
【００３８】
また、明るさを調整する場合には、例えば、オリジナルの画像データを表示する領域と、調整後の画像データを表示する領域と、明るさ調整部と、画像データの各画素の明度をヒストグラム表示する領域などからなる明るさ調整画面が表示され、ユーザは、調整後の画像とヒストグラムを確認しながら明るさ調整部を操作して画像データを所望の明るさに調整することができる。また、色を調整する場合には、例えば、オリジナルの画像データを表示する領域と、調整後の画像データを表示する領域と、ＲＧＢ各色の色調整部などからなる色調整画面が表示され、ユーザは、調整後の画像を確認しながらＲＧＢ各色の色調整部を操作して画像データを所望の色彩に調整することができる。
【００３９】
また、スライドショー作成画面２６の手順表示欄２８に従って操作を行い、”文字を入れる”のステップになると、同様に、ステップＳ２０８で記録媒体９に予め記録された編集プログラムが起動し、ステップＳ２０９で、例えば、図１５に示すような文字合成画面３４が表示される。この文字合成画面３４には、例えば、文字やイラストを合成する画像を選択する欄と、選択された画像データを表示する画像表示領域３１と、画像データに基づく画像を回転させる回転ボタン３５と、合成する文字やイラストの位置や大きさ、向きなどを調整する合成調整欄３６とが表示され、ユーザは、文字又はイラストを画像表示領域３１の画像に重ねて表示させ、合成調整欄３６で文字やイラストを動かしながら合成画像データを作成する等の画像データの編集を行い（ステップＳ２１０）、編集プログラムは、文字やイラストが合成された合成画像データを作成したり、画像データと文字又はイラストとの関連付けを行う。
【００４０】
また、”ＢＧＭを選ぶ”のステップになると、同様に、ステップＳ２０８で記録媒体９に予め記録された編集プログラムが起動し、ステップＳ２０９で、所定のＢＧＭ選択画面を表示する。このＢＧＭ選択画面には、例えば、画像の表示と共に再生する音楽データの記録場所を選択する欄や記録場所に記録されている音楽データの一覧を表示する欄、画像や音楽の再生条件（例えば、スライド効果やスライド間隔など）を設定する欄が表示され、ユーザは、操作手段１３を用いて所望の音楽を選択したり再生条件を設定する等の画像データの編集を行い（ステップＳ２１０）、編集プログラムは画像データと音楽データの関連付けを行う。
【００４１】
なお、ここでは編集プログラムで実行可能な処理として、画像の回転、トリミング、文字やイラストの合成、画像表示の際に再生する音楽データの関連付け、明るさ調整、コントラスト調整、色調整を例にして述べたが、編集プログラムで実行可能な処理はこれらに限定されず、画像データに対して実行可能な任意の処理とすることができる。また、図１１乃至図１５の画面構成は例示であり、所望の編集処理が実行可能な任意の構成とすることができる。また、上記説明ではスライドショーの設定の際に画像の編集を行う構成としたが、スライドショーの設定とは別に、独立して画像の編集を行う構成としてもよく、例えば、記録媒体９を装填すると自動的に編集プログラムが起動して画像を編集するための画面が表示される構成としてもよい。
【００４２】
このように、本実施例では、記録媒体９に単に入力された画像データを記録するのではなく、上記画像データと該画像データを編集するための編集プログラムと必要に応じて該画像データを再生するための再生プログラムとがセットになって記録媒体９に記録されてユーザに提供されるため、記録媒体９を利用するコンピュータ機器１０に編集プログラムがインストールされていない場合であっても画像データに対して所望の編集を行うことができ、これにより画像データを用いたサービスの利用促進を図ることができる。
【００４３】
なお、上記各実施例では、記録媒体９に記録するデータとして画像データを用いる場合を示したが、本発明は上記実施例に限定されるものではなく、音楽データと該音楽データに基づく音楽を編集するための編集プログラムと必要に応じて音楽を再生するための再生プログラムとをセットにして記録媒体９に記録する等、任意の種類のデータと該データの編集に適した編集プログラムとを記録媒体９に記録する場合において同様に適用することができる。
【図面の簡単な説明】
【００４４】
【図１】本発明の一実施例に係る記録装置の構成を模式的に示す図である。
【図２】本発明の一実施例に係る記録装置の他の構成を示す図である。
【図３】本発明の一実施例に係る記録装置の他の構成を示す図である。
【図４】本発明の一実施例に係る記録装置の他の構成を示す図である。
【図５】本発明の一実施例に係る記録装置の他の構成を示す図である。
【図６】本発明の一実施例に係る記録装置の主な手段を示すブロック図である。
【図７】本発明の一実施例に係る記録装置を用いた記録媒体の作成手順を示すフローチャート図である。
【図８】本発明の一実施例に係る記録媒体を用いた画像データの編集手順を示すフローチャート図である。
【図９】本発明の一実施例の記録媒体におけるデータの記録構造を示す図である。
【図１０】本発明の一実施例の記録媒体におけるデータの他の記録構造を示す図である。
【図１１】本発明の一実施例に係るコンピュータ機器の表示手段に表示される画面構成例（メニュー画面）を示す図である。
【図１２】本発明の一実施例に係るコンピュータ機器の表示手段に表示される画面構成例（画像表示集画面）を示す図である。
【図１３】本発明の一実施例に係るコンピュータ機器の表示手段に表示される画面構成例（スライドショー作成画面）を示す図である。
【図１４】本発明の一実施例に係るコンピュータ機器の表示手段に表示される画面構成例（トリミング編集画面）を示す図である。
【図１５】本発明の一実施例に係るコンピュータ機器の表示手段に表示される画面構成例（文字合成画面）を示す図である。
【符号の説明】
【００４５】
１  記録装置
２  メディア装填部
３  機器接続部
４  記録媒体装填部
５  表示手段
６  操作手段
７  デジタルカメラ
７ａ  カメラ付き携帯電話機
８  メディア
９  記録媒体
１０  コンピュータ機器
１１  本体
１２  表示手段
１３  操作手段
１４  記録媒体装填部
１５  通信ネットワーク
１６  サーバ
１７  データ入力手段
１８  データ変換手段
１９  データ記録手段
２０  記憶手段
２１  メニュー画面
２２  作業メニュー付きアルバム表示画面
２３  タグ表示欄
２４  アルバム表示欄
２５  作業メニュー欄
２６  スライドショー作成画面
２７  選択画像表示欄
２８  手順表示欄
２９  編集ボタン
３０  トリミング編集画面
３１  画像表示領域
３２  トリミング枠
３３  トリミング調整欄
３４  文字合成画面
３５  回転ボタン
３６  合成調整欄
【図１】
2005267774.tif 000003
【図２】
2005267774.tif 000004
【図３】
2005267774.tif 000005
【図４】
2005267774.tif 000006
【図５】
2005267774.tif 000007
【図６】
2005267774.tif 000008
【図７】
2005267774.tif 000009
【図８】
2005267774.tif 000010
【図９】
2005267774.tif 000011
【図１０】
2005267774.tif 000012
【図１１】
2005267774.tif 000013
【図１２】
2005267774.tif 000014
【図１３】
2005267774.tif 000015
【図１４】
2005267774.tif 000016
【図１５】
2005267774.tif 000017